(57)【要約】【課題】  利用可能な複数の電話端末の中から適切な電話端末を選択してハンズフリー通話を行うことができ、また、ハンズフリー通話中は他の電話端末を単独使用可能にできるハンズフリー通話装置及びその制御方法を提供する。【解決手段】  ハンズフリー通話装置１０は、発信を行う場合、有線接続された携帯電話機１００ａを検索し、携帯電話機１００ａが検索された場合はその携帯電話機１００ａを介して発信を行い、検索されない場合は、無線接続された携帯電話機１００ｂを検索し、検索された携帯電話機１００ｂを介して発信を行う。また、このハンズフリー通話装置１０は、着信の場合は、いずれの携帯電話機１００ａ、１００ｂが着信してもその携帯電話機と音声通信してハンズフリー通話を行う。さらに、ハンズフリー通話を行っている場合は、そのハンズフリー通話に使用中の携帯電話機以外の携帯電話機を通常モードに移行させる。【選択図】      図１
2005260451.tif 000002
【特許請求の範囲】
【請求項１】
複数の電話端末が音声通信可能に接続される接続手段と、
前記接続手段に接続された電話端末を介してハンズフリー通話制御を行う通話制御手段とを備え、
前記通話制御手段は、発信を行う場合、予め定められた優先条件に従って前記接続手段に接続された電話端末を検索し、検索された最も優先度の高い電話端末を介して発信を行うことを特徴とするハンズフリー通話装置。
【請求項２】
前記接続手段は、
一又は複数の電話端末が有線接続される有線接続手段と、
一又は複数の電話端末と無線通信することにより前記電話端末が無線接続される無線接続手段とを有することを特徴とする請求項１に記載のハンズフリー通話装置。
【請求項３】
前記優先条件は、少なくとも前記有線接続手段に接続された前記電話端末を、前記無線接続手段に接続された前記電話端末よりも優先する条件を含むことを特徴とする請求項２に記載のハンズフリー通話装置。
【請求項４】
前記通話制御手段は、前記接続手段に接続された一つの前記電話端末を介してハンズフリー通話制御を行っている間は、少なくとも前記有線接続手段に接続された他の前記電話端末を、当該ハンズフリー通話装置を介さずに単独使用可能な状態に移行させることを特徴とする請求項１乃至３のいずれかに記載のハンズフリー通話装置。
【請求項５】
前記通話制御手段は、前記電話端末を介してハンズフリー通話制御を行っていない間は、前記有線接続手段に接続された電話端末を、内蔵スピーカへの音声出力及び内蔵マイクからの音声入力を禁止させ、
いずれかの前記電話端末を介してハンズフリー通話制御を行っている間は、ハンズフリー通話制御を行っている前記電話端末を除く前記有線接続手段に接続された前記電話端末を、内蔵スピーカへの音声出力及び内蔵マイクからの音声入力を許可させることを特徴とする請求項４に記載のハンズフリー通話装置。
【請求項６】
前記通話制御手段は、前記接続手段に接続された前記電話端末のいずれかの着信を検知したときは、着信を検知した電話端末を介してハンズフリー通話制御を行うことを特徴とする請求項１乃至５のいずれかに記載のハンズフリー通話装置。
【請求項７】
複数の電話端末が音声通信可能に接続される接続手段を備え、この接続手段に接続された電話端末を介してハンズフリー通話制御を行うハンズフリー通話装置の制御方法において、
発信を行う場合、予め定められた優先条件に従って前記接続手段に接続された電話端末を検索し、
検索された最も優先度の高い電話端末を介して発信を行うことを特徴とするハンズフリー通話装置の制御方法。
【発明の詳細な説明】
【技術分野】
【０００１】
本発明は、複数の電話端末のいずれかを利用してハンズフリー通話を可能とするハンズフリー通話装置及びその制御方法に関する。
【背景技術】
【０００２】
自動車等の車室内において、ユーザが携帯電話機を把持せずとも、携帯電話機を使用して、いわゆるハンズフリー通話を可能とするハンズフリー通話装置が知られている。この種のハンズフリー通話装置には、携帯電話機との通信接続をケーブルを介して行うものや無線通信によって行うものがある（例えば、特許文献１）。
【特許文献１】特開２００３−４７０５４号公報
【発明の開示】
【発明が解決しようとする課題】
【０００３】
ところで、ハンズフリー通話装置にケーブルや無線通信を介して複数の電話端末を接続しようとした場合、ハンズフリー通話に使用する電話端末は、（１）最初に接続された電話端末を選択、（２）最後に接続された電話端末を選択、（３）ユーザが選択した電話端末を選択、のいずれかの方法が考えられる。
【０００４】
しかしながら、このようにハンズフリー通話に使用する電話端末を限定しまうと、料金プランの異なる複数の電話端末を持っている場合に希望しない電話端末から発信してしまう、ユーザがいちいち電話端末を選択する必要がある、電話端末を限定するとそれ以外の電話端末はハンズフリーの対象とならず、特に着信を受けた場合、ハンズフリー通話とならない、といったユーザにとって不便な場合が生じ、好ましくない。
【０００５】
また、近年の携帯電話機には、ハンズフリー通話装置に接続される場合に備えて、内蔵スピーカからの音声出力及び内蔵マイクからの音声入力を禁止して通信端子のみから音声入出力を行うモード（ハンズフリーモード）を備えたものがある。しかしながら、ハンズフリーモードにしたままだと内蔵スピーカから放音されず、また、内蔵マイクからの音声入力を移動通信網に伝達しないため、この携帯電話機を単独使用（ハンズフリー通話装置を介さずに使用）できず、不便な場合が生じる。
【０００６】
本発明は、上述した事情に鑑みてなされたものであり、利用可能な複数の電話端末の中から適切な電話端末を選択してハンズフリー通話を行うことができ、また、ハンズフリー通話中は他の電話端末を単独使用可能にできるハンズフリー通話装置及びその制御方法を提供することを目的としている。
【課題を解決するための手段】
【０００７】
上述課題を解決するため、本発明は、ハンズフリー通話装置において、複数の電話端末が音声通信可能に接続される接続手段と、前記接続手段に接続された電話端末を介してハンズフリー通話制御を行う通話制御手段とを備え、前記通話制御手段は、発信を行う場合、予め定められた優先条件に従って前記接続手段に接続された電話端末を検索し、検索された最も優先度の高い電話端末を介して発信を行うことを特徴とする。この構成によれば、発信を行う場合に、予め定められた優先条件に従って接続手段に接続された電話端末を検索し、検索された最も優先度の高い電話端末を介して発信を行うので、優先使用する電話端末が明確化される。
【０００８】
上記構成において、前記接続手段は、一又は複数の電話端末が有線接続される有線接続手段と、一又は複数の電話端末と無線通信することにより前記電話端末が無線接続される無線接続手段とによって構成するようにしてもよい。この場合、前記優先条件は、少なくとも前記有線接続手段に接続された前記電話端末を、前記無線接続手段に接続された前記電話端末よりも優先する条件を含むことが好ましい。
【０００９】
また、前記通話制御手段は、前記接続手段に接続された一つの前記電話端末を介してハンズフリー通話制御を行っている間は、少なくとも前記有線接続手段に接続された他の前記電話端末を、当該ハンズフリー通話装置を介さずに単独使用可能な状態に移行させるようにしてもよい。この場合、前記通話制御手段は、前記電話端末を介してハンズフリー通話制御を行っていない間は、前記有線接続手段に接続された電話端末を、内蔵スピーカへの音声出力及び内蔵マイクからの音声入力を禁止させ、いずれかの前記電話端末を介してハンズフリー通話制御を行っている間は、ハンズフリー通話制御を行っている前記電話端末を除く前記有線接続手段に接続された前記電話端末を、内蔵スピーカへの音声出力及び内蔵マイクからの音声入力を許可させるようにしてもよい。
【００１０】
また、前記通話制御手段は、前記接続手段に接続された前記電話端末のいずれかの着信を検知したときは、着信を検知した電話端末を介してハンズフリー通話制御を行うことが好ましい。
【００１１】
また、本発明は、複数の電話端末が音声通信可能に接続される接続手段を備え、この接続手段に接続された電話端末を介してハンズフリー通話制御を行うハンズフリー通話装置の制御方法において、発信を行う場合、予め定められた優先条件に従って前記接続手段に接続された電話端末を検索し、検索された最も優先度の高い電話端末を介して発信を行うことを特徴とする。この構成によれば、発信を行う場合に、予め定められた優先条件に従って接続手段に接続された電話端末を検索し、検索された最も優先度の高い電話端末を介して発信を行うので、優先使用する電話端末が明確化される。
【発明の効果】
【００１２】
本発明は、優先使用する電話端末が明確化され、ユーザが発信対象の電話端末を選択する操作が必要なくなる。また、ハンズフリー通話に使用中の電話端末以外の電話端末を単独使用することが可能となる。
【発明を実施するための最良の形態】
【００１３】
以下、図面を参照しつつ本発明の実施の形態について説明する。
【００１４】
図１は、本発明の実施形態に係るハンズフリー通話装置１０の機能構成を示すブロック図である。
【００１５】
このハンズフリー通話装置１０は、複数の携帯電話機１００ａ、１００ｂを同時接続でき、これら携帯電話機（電話端末）１００ａ、１００ｂを介してハンズフリー通話を可能にする装置である。本実施形態では、このハンズフリー通話装置１０は、ケーブル１１を介して一又は複数の携帯電話機１００ａが有線接続可能であり、また、近距離無線通信により一又は複数の携帯電話機１００ｂが無線接続可能に構成されている。
【００１６】
また、このハンズフリー通話装置１０に接続可能な携帯電話機１００ａ、１００ｂは、移動通信網（図示略）を介して他の携帯電話機や固定電話と通話通信するものであり、内蔵スピーカや内蔵マイク、電話通信のための通信部、音声通信やデータ通信のための通信端子といった一般的な構成を具備するものである。但し、ハンズフリー通話装置１０と近距離無線通信を行う携帯電話機１００ｂについては、Bluetooth規格或いは無線ＬＡＮ規格に準拠して近距離無線通信するための近距離無線通信モジュールをさらに具備するものである。なお、この近距離無線通信モジュールを具備した携帯電話機がケーブル１１を介して接続されてもよく、この場合、ハンズフリー通話装置１０は、この携帯電話機とは近距離無線通信は行わないものとする。
【００１７】
図１に示すように、このハンズフリー通話装置１０において、制御部（通話制御手段）２０は、ＣＰＵを備え、このハンズフリー通話制御を行うコンピュータとして機能する。また、制御部２０は、携帯電話機１００から出力された音声（受話音声）を外部に設けられたスピーカに出力し、対応する音声を放音させる。ここで、このハンズフリー通話装置１０が自動車の室内に配置される場合は、直接又はカーオーディオ装置を介してスピーカに音声信号を出力するように構成される。また、記憶部２１は、制御部２０によって実行される制御プログラムや各種データを記憶するものである。
【００１８】
接続部（接続手段）２２は、このハンズフリー通話装置１０に複数の携帯電話機１００ａ、１００ｂを音声通信可能に接続するものであり、携帯電話機１００ａとそれぞれケーブル１１を介して接続される通信インターフェース（通信Ｉ／Ｆ）２３と、携帯電話機１００ｂと近距離無線通信する無線通信部２４とを有する。
【００１９】
詳述すると、通信Ｉ／Ｆ（有線接続手段）２３は、各携帯電話機１００ａの通信端子とケーブル１１を介して接続され、制御部２０の制御の下、携帯電話機１００ａと音声通信等を行う。これにより、この通信Ｉ／Ｆ２３は、携帯電話機１００ａから出力された着信トリガ信号（着信音声の信号も含む）等を入力でき、また、各種制御コマンドを出力して、携帯電話機１００ａを、内蔵スピーカからの音声出力及び内蔵マイクからの音声入力を禁止して通信端子から音声入出力を行う動作モード（以下、ハンズフリーモードという。）に切り替えたり、内蔵スピーカの音声出力及び内蔵マイクからの音声入力を許可して単独使用可能な動作モード（以下、通常モードという。）に切り替えることが可能となっている。
【００２０】
また、無線通信部（無線接続手段）２４は、携帯電話機１００ｂが備える近距離無線モジュールと同様に、Bluetooth規格或いは無線ＬＡＮ規格に準拠して近距離無線通信するためのものであり、周囲に通信エリアを形成し、この通信エリアに在圏する携帯電話機１００ｂと無線通信する。これにより、この無線通信部２４は、制御部２０の制御の下、通信エリアに在圏する携帯電話機１００ｂと通信同期を確立し、各携帯電話機１００ｂから無線送信される着信トリガ信号（着信音声の信号も含む）を受信したり、音声通信等が可能となっている。
【００２１】
操作部２５は、電話番号の入力等を行うためのテンキーや通話指示等を行うための操作子を備えている。表示部２６は、各種情報を表示するものであり、例えば、液晶表示パネルや液晶駆動回路等から構成される。収音部２７は、ユーザの音声（送話音声）を収音し、音声信号に変換して制御部２０に出力するものであり、マイクやアンプ等から構成される。制御部２０は、収音部２７からの音声信号に対し、エコーキャンセル処理を施す。
【００２２】
次いで、ハンズフリー通話装置１０の動作を説明する。
【００２３】
このハンズフリー通話装置１０において、制御部２０は、電源投入時と電源投入後の一定の割り込み周期で、通信Ｉ／Ｆ２３及び無線通信部２４に接続される携帯電話機１００ａ、１００ｂを検出し、登録する処理を実行する。より具体的には、制御部２０は、通信Ｉ／Ｆ２３の各ポートに所定の応答要求を送信し、その応答が返ってくるかを検出することにより携帯電話機１００ａが接続（追加接続）されたことを検出し、検出された携帯電話機１００の情報（識別コード等）を記憶部２１に記憶させる。そして、携帯電話機１００ａが新たに接続されたことを検出すると、制御部２０は、ハンズフリーモードへの切り替えを指示する制御コマンドを通信Ｉ／Ｆ２３を介して送信し、全ての携帯電話機１００ａをハンズフリーモードに移行させる。
【００２４】
また、制御部２０は、無線通信部２４により通信エリアに在圏する携帯電話機１００ｂを問い合わせる処理を実行させ、周囲の携帯電話機１００ｂとの通信同期を確立させると共に、各携帯電話機１００ｂから自装置１０宛に着信トリガ信号が送信されるように設定し、検出された携帯電話機１００ｂの情報（識別コード等）を記憶部２１に記憶させる。また、制御部２０は、無線通信部２４によりハンズフリーモードへの切り替えを指示する制御コマンドを送信し、全ての携帯電話機１００ｂをハンズフリーモードに移行させる。
【００２５】
なお、ここでは、携帯電話機１００ｂが無線通信によりハンズフリーモードや通常モードに移行する機能を具備する場合を例に説明するが、無線通信では動作モードの切り替えができない場合等は、その携帯電話機１００ｂは常時、通常モードで動作するものとする。
【００２６】
ここで、記憶部２１には、例えば、有線接続された携帯電話機１００ａの情報を記憶させる記憶領域と、無線接続された携帯電話機１００ｂの情報を記憶させる記憶領域とを分けておく、或いは、有線接続された携帯電話機１００ａと無線接続された携帯電話機１００ｂとを判別可能なテーブルを作成するといった方法により、少なくとも、有線接続された携帯電話機１００ａと無線接続された携帯電話機１００ｂとを判別可能に記憶されるようになっている。
【００２７】
次に、このハンズフリー通話装置１０の電話発信時の動作を説明する。
【００２８】
図２は、この場合の動作を示すフローチャートである。
【００２９】
制御部２０は、ユーザから操作部２５を介して通話指示（発信のための通話指示）を入力すると、記憶部２１の記憶内容に基づいて携帯電話機１００ａ、１００ｂのいずれかが接続されているかを判定する（ステップＳ１）。携帯電話機１００ａ、１００ｂのいずれも接続されていない場合、制御部２０は、電話発信できない旨のメッセージを表示部２６に表示し、或いは、その旨の音声をスピーカから放音させる、といった報知処理を行った後に、この電話発信処理を終了する。
【００３０】
一方、携帯電話機１００ａ、１００ｂのいずれかが接続されている場合、制御部２０は、有線接続された携帯電話機１００ａが存在するか否かを判定する（ステップＳ２）。そして、有線接続された携帯電話機１００ａが存在する場合（ステップＳ２：YES）、制御部２０は、有線接続された１台の携帯電話機１００ａを使用対象の携帯電話機に設定し、その他の携帯電話機１００ｂを通常モードに移行させるべく、無線通信部２４（及び通信Ｉ／Ｆ２３）を介して制御コマンドを送信する（ステップＳ３）。これにより、他の携帯電話機１００ｂ（及び１００ａ）は通常モードへ移行し、単独使用が可能となる。なお、有線接続された携帯電話機１００ａが複数存在する場合は、予め定めた優先条件（例えば、通信Ｉ／Ｆ２３の接続ポートの番号が小さい方を優先する）に従って最も優先度の高い携帯電話機１００ａを使用対象の携帯電話機に設定すればよい。
【００３１】
次いで、制御部２０は、操作部２５及び表示部２６を、選択した携帯電話機１００ａの操作に割り当て（ステップＳ４）、操作部２５を介して電話番号や発信指示を入力すると、通信Ｉ／Ｆ２３を介してその携帯電話機１００ａに対応するデータや発呼コマンドを送信することにより、携帯電話機１００ａに発信処理を実行させる（ステップＳ５）。この場合、制御部２０は、通信Ｉ／Ｆ２３を介して携帯電話機１００ａから入力した音声（受話音声）をスピーカから放音させると共に、収音部２７を介して入力したユーザの音声（送話音声）を通信Ｉ／Ｆ２３を介して携帯電話機１００ａに出力することにより、ユーザはハンズフリー通話を行うことができる。
【００３２】
そして、制御部２０は、通信Ｉ／Ｆ２３を介して携帯電話機１００ａから切断した旨が通知されると（ステップＳ６：YES）、操作部２５及び表示部２６の割り当てを解除する（ステップＳ７）。また、制御部２０は、通常モードに設定した携帯電話機１００ａ、１００ｂをハンズフリーモードに移行させるべく、通信Ｉ／Ｆ２３及び無線通信部２４を介して所定の制御コマンドを送信する（ステップＳ８）。これにより、このハンズフリー通話装置１０に接続された全ての携帯電話機１００ａ、１００ｂがハンズフリーモードで動作し、ハンズフリー通話に適した動作モードとなる。
【００３３】
すなわち、このハンズフリー通話装置１０は、発信を行う場合は、有線接続された携帯電話機１００ａを検索し、携帯電話機１００ａが検索された場合は、無線接続された携帯電話機１００ｂが存在しても、一台の携帯電話機１００ａを介して発信を行いハンズフリー通話を行うようになっている。
【００３４】
これに対し、ステップＳ２の判定において、有線接続された携帯電話機１００ａが存在しないと判定した場合（ステップＳ２：NO）、制御部２０は、無線接続された携帯電話機１００ｂが存在するか否かを判定する（ステップＳ９）。そして、存在しない場合（ステップＳ９：NO）、制御部２０は、電話発信できない旨のメッセージを表示部２６に表示する等の上記報知処理を行った後に、この電話発信処理を終了する。
【００３５】
一方、無線接続された携帯電話機１００ｂが存在する場合（ステップＳ９：YES）、制御部２０は、無線接続された１台の携帯電話機１００ｂを使用対象の携帯電話機に設定し、その他の携帯電話機１００ａ（その他の携帯電話１００ｂもあればこれも含む）を通常モードに移行させるべく、通信Ｉ／Ｆ２３（及び無線通信部２４）を介して制御コマンドを送信する（ステップＳ１０）。これにより、他の携帯電話機１００ａ（及び１００ｂ）は通常モードへ移行し、単独使用が可能となる。なお、無線接続された携帯電話機１００ｂが複数存在する場合は、予め定めた優先条件に従って最も優先度の高い携帯電話機１００ｂを使用対象の携帯電話機に設定すればよい。
【００３６】
次いで、制御部２０は、操作部２５及び表示部２６を、選択した携帯電話機１００ｂの操作に割り当て（ステップＳ１１）、操作部２５を介して電話番号や発信指示を入力すると、無線通信部２４を介してその携帯電話機１００ｂに対応するデータや発呼コマンドを送信することにより、携帯電話機１００ｂに発信処理を実行させる（ステップＳ１２）。この場合、制御部２０は、無線通信部２４を介して携帯電話機１００ｂから入力した音声（受話音声）をスピーカから放音させると共に、収音部２７を介して入力したユーザの音声（送話音声）を無線通信部２４を介して携帯電話機１００ｂに出力することにより、ユーザはハンズフリー通話を行うことができる。
【００３７】
すなわち、このハンズフリー通話装置１０は、発信を行う場合は、有線接続された携帯電話機１００ａを検索し、携帯電話機１００ａが検索されない場合は、無線接続された携帯電話機１００ｂを検索し、携帯電話機１００ｂが検索された場合にこの携帯電話機１００ｂを介して発信を行ってハンズフリー通話を行うようになっている。
【００３８】
これにより、このハンズフリー通話装置１０は、有線接続された携帯電話機１０ａを優先的に使用してハンズフリー通話を行うようになっている。なお、有線接続された携帯電話機１００ａを優先使用するのは、そもそも、ユーザの意志によって接続されたものであるため、優先度が無線接続された携帯電話機１００ｂより高いと判断されるからである。
【００３９】
ここで、上記のような、発信の際に、有線接続された携帯電話機１００ａを優先使用するという優先条件は、この発信処理を行うための制御プログラムに予めプログラミングされていてもよいし、記憶部２１にこの優先条件の情報を記憶し、制御部２０がこの情報を読みとってこの優先条件に従って携帯電話機１００ａ、１００ｂを検索するようにしてもよい。
【００４０】
次に、このハンズフリー通話装置１０の電話着信時の動作を説明する。
【００４１】
図３は、この場合の動作を示すフローチャートである。なお、この動作は、上記電話発信処理を行わない場合に、定常的に実施される動作である。以下、説明の便宜上、携帯電話機１００ａ、１００ｂを特に区別する必要がない場合は、携帯電話機１００と表記する。
【００４２】
まず、制御部２０は、通信Ｉ／Ｆ２３或いは無線通信部２４を介して着信トリガ信号を入力したか否かを判定することにより、携帯電話機１００のいずれかが着呼したか否かを判定する（ステップＳ２０）。制御部２０は、着呼を検知しない場合は（ステップＳ２０：NO）、この処理を繰り返し行うことで着信待ち状態となる。
【００４３】
着呼を検知した場合（ステップＳ２０：YES）、制御部２０は、着呼中の携帯電話機１００を除く他の携帯電話機１００を通常モードに移行させるべく、通信Ｉ／Ｆ２３及び無線通信部２４を介して所定の制御コマンドを送信し（ステップＳ２１）、他の携帯電話機１００を通常モードへ移行させる。
【００４４】
次いで、制御部２０は、操作部２５及び表示部２６を、着呼中の携帯電話機１００の操作に割り当てる（ステップＳ２２）。これにより、制御部２０は、操作部２５を介して通話指示を入力すると、その携帯電話機１００が有線接続されたものであれば通信Ｉ／Ｆ２３を介して、無線接続されたものであれば無線通信部２４を介して、所定の制御コマンドを送信することにより、携帯電話機１００を通話状態に切り替える。
【００４５】
続いて、制御部２０は、通信Ｉ／Ｆ２３又は無線通信部２４を介して携帯電話機１００から入力した音声（受話音声）をスピーカから放音させると共に、収音部２７を介して入力したユーザの音声（送話音声）を通信Ｉ／Ｆ２３又は無線通信部２４を介して携帯電話機１００に出力することにより、ユーザはハンズフリー通話を行うことができる。
【００４６】
そして、制御部２０は、通信Ｉ／Ｆ２３又は無線通信部２４を介して携帯電話機１００から切断した旨が通知されると（ステップＳ２３：YES）、操作部２５及び表示部２６の割り当てを解除し（ステップＳ２４）、通信Ｉ／Ｆ２３及び無線通信部２４を介して所定の制御コマンドを送信し（ステップＳ２５）、全ての携帯電話機１００をハンズフリーモードに移行させる。
【００４７】
以上説明したように、このハンズフリー通話装置１０は、発信を行う場合、有線接続された携帯電話機１００ａを検索し、携帯電話機１００ａが検索された場合は、最も優先度の高い一台の携帯電話機１００ａを介して発信を行い、検索されない場合は、無線接続された携帯電話機１００ｂを検索し、検索された携帯電話機１００ｂを介して発信を行うので、有線接続された携帯電話機１００ａを優先的に使用してハンズフリー通話を行うことができる。これにより、ユーザが発信対象の携帯電話機１００をその都度選択するという煩雑な作業を行わなくてよくなり、また、優先使用する携帯電話機１００が明確化され、ユーザの意志と異なる携帯電話機１００ｂから発信して不要課金が発生してしまう場合を回避することができる。
【００４８】
また、このハンズフリー通話装置１０は、着信の場合は、いずれの携帯電話機１００が着信してもその携帯電話機１００と音声通信してハンズフリー通話を行うため、ハンズフリー対象の携帯電話機が着信においては限定されない、という効果も奏する。
【００４９】
さらに、このハンズフリー通話装置１０は、ハンズフリー通話を行っている場合は、そのハンズフリー通話に使用中の携帯電話機１００以外の携帯電話機１００を通常モードに移行させるので、他の携帯電話機１００に着信があった場合は、その着信が内蔵スピーカから放音され、その携帯電話機１００で電話を受けることが可能となる。
【００５０】
上述した実施形態は、本発明の一態様を示すものであり、この発明を限定するものではなく、本発明の範囲内で任意に変更可能である。さらに、実施例で示した構成はそれに限定されるものでは無く、本発明の趣旨を逸脱しない範囲で適宜変更が可能である。例えば、現状の携帯電話機１００には、無線接続の場合は、外部からハンズフリーモードに移行制御できない機種がある。このため、上記実施形態では、ハンズフリー通話に使用中の携帯電話機１００を除いて、少なくとも有線接続された携帯電話機１００ａだけをハンズフリーモードに移行させるようにしてもよく、また、有線接続或いは無線接続に関係なく、ハンズフリーモードに移行制御可能な携帯電話機１００だけをハンズフリーモードに移行させるようにしてもよい。
【００５１】
また、上述の実施形態では、内蔵スピーカの音声出力を禁止するハンズフリーモードに移行制御する場合について述べたが、要は、携帯電話機の操作キーの操作を受け付けなくするモードといった、ハンズフリー通話に適したモードがあれば、そのモードに移行制御し、ハンズフリー通話中は、その通話に使用中の携帯電話機１００を除いて、他の携帯電話機１００を単独使用可能な動作モードに移行させるようにすればよい。
【００５２】
また、上述の実施形態では、有線接続された携帯電話機１００ａの優先度を高くする場合について述べたが、無線接続された携帯電話機１００ｂの優先度を高くしても良いし、その優先条件は任意に設定してよい。さらに、この優先条件をユーザが任意に設定できるようにしてもよい。
【００５３】
また、上述の実施形態では、携帯電話機１００が有線接続及び無線接続可能なハンズフリー通話装置１０に本発明を適用する場合について述べたが、要は、複数の携帯電話機１００を音声通信可能に接続できる範囲で、有線接続のみ、或いは、無線接続のみのハンズフリー通話装置に広く適用することができる。
【００５４】
さらに、上述の実施形態では、このハンズフリー通話装置１０の外に配置された携帯電話機１００を用いてハンズフリー通話を行う場合について例示したが、このハンズフリー通話装置１０に携帯電話機能を有する電話ユニットを内蔵し、この電話ユニットを用いてハンズフリー通話を行うようにしてもよい。また、本発明は、このハンズフリー通話装置１０が使用する電話として、携帯電話機以外に、ＰＨＳやＩＰ電話などの電話端末を広く適用することが可能である。
【図面の簡単な説明】
【００５５】
【図１】本実施形態に係るハンズフリー通話装置の機能構成を示すブロック図である。
【図２】ハンズフリー通話装置の電話発信時の動作を示すフローチャートである。
【図３】ハンズフリー通話装置の電話着信時の動作を示すフローチャートである。
【符号の説明】
【００５６】
１０  ハンズフリー通話装置
１１  ケーブル
２０  制御部
２１  記憶部
２２  接続部
２３  通信Ｉ／Ｆ
２４  無線通信部
１００、１００ａ、１００ｂ  携帯電話機
【図１】
2005260451.tif 000003
【図２】
2005260451.tif 000004
【図３】
2005260451.tif 000005